(57)【特許請求の範囲】
【請求項１】
建物と、該建物に隣接し前記建物よりも低い構造物との間に設置され、前記建物の施工作業を行うために用いる仮設足場であって、
間隔を置いて配置された一対の支柱と、
該一対の支柱にそれぞれ両端側が連結される梁枠体と、
該梁枠体上に固定される足場板と、
前記構造物よりも上方において前記梁枠体に一端が係止して前記構造物側に他端が延出するブラケットと、
一対の前記ブラケットに両端側が取り付けられる追加足場板と、を備えることを特徴とする仮設足場。
【請求項２】
前記梁枠体と前記ブラケットとは、一方に設けられた突起部と他方に設けられた穴部とが嵌ることで係止していることを特徴とする請求項１に記載の仮設足場。
【請求項３】
前記ブラケットと前記追加足場板とは、一方に設けられた足場用突起部と他方に設けられた足場用穴部とが嵌ることで係止していることを特徴とする請求項１又は２に記載の仮設足場。
【請求項４】
作業者用の手摺を構成して前記ブラケットの上方に延在する手摺支柱を備え、
前記ブラケットの前記他端側には、前記手摺支柱を取り付ける取付部が形成されていることを特徴とする請求項１乃至３のいずれか一項に記載の仮設足場。
【請求項５】
前記ブラケットは、前記構造物側に張り出す張り出し部と、該張り出し部の下方において前記構造物側から前記建物側に延在する第１サポートと、を備えることを特徴とする請求項１乃至４のいずれか一項に記載の仮設足場。
【請求項６】
前記ブラケットは、前記建物側において、前記張り出し部と前記第１サポートとを接続する第２サポートを備えることを特徴とする請求項５に記載の仮設足場。
【発明の詳細な説明】
【技術分野】
【０００１】
本発明は、仮設足場に係り、特に構造物と接近して建てられた建物の建築やメンテナンスの作業を室外側から行う際に用いられる仮設足場に関する。
【背景技術】
【０００２】
住宅等の建物の建築時や建築後のメンテナンス時において、室外側から施工作業をおこなうために建築足場が仮設される。
このような建築足場は、一般に、所定の間隔で立設された単管支柱と梁部材とを縦横に組み合わせ、梁部材に踏み板を仮設して構築している。
例えば、特許文献１に開示された狭小地用の仮設足場においては、支柱と、梁枠体及び足場板からなる梁部材とによって仮設足場を構成し、梁枠体として、長手方向に複数に分割された分割梁枠が相互に連結されてなるものを採用している。このような構成により、梁枠体を分割梁枠毎に、仮設足場の設置場所に持ち込むことができ、仮設足場の設置場所に持ち込む個々の部材の長さを短くすることができる。そして、建物と隣接する構造物（建物、単なる壁を含み、以下隣接構造物ともいう。）とが接近しており、仮設足場を設置するスペースが狭い場合であっても、仮設足場の設置が可能となった。
【先行技術文献】
【特許文献】
【０００３】
【特許文献１】特開２０１４−１０１６５９号公報
【発明の概要】
【発明が解決しようとする課題】
【０００４】
特許文献１に開示された仮設足場においては、分割梁枠を採用することで狭小地における建物に対して室外側からのメンテナンス作業等が実現できることとなった。しかしながら、隣接構造物は作業者の支えとしても機能していたため、施工対象の建物よりも隣接構造物が低いときには、隣接構造物を越えた高さにおいて当該作業困難となっていた。
【０００５】
本発明は、上記の課題に鑑みてなされたものであり、本発明の目的は、隣接する構造物と接近して建築された建物への施工作業のうち、当該構造物の上方において室外側から行う作業の効率を高めることができる仮設足場を提供することにある。
【課題を解決するための手段】
【０００６】
前記課題は、本発明の仮設足場によれば、建物と、該建物に隣接し前記建物よりも低い構造物との間に設置され、前記建物の施工作業を行うために用いる仮設足場であって、間隔を置いて配置された一対の支柱と、該一対の支柱にそれぞれ両端側が連結される梁枠体と、該梁枠体上に固定される足場板と、前記構造物よりも上方において前記梁枠体に一端が係止して前記構造物側に他端が延出するブラケットと、一対の前記ブラケットに両端側が取り付けられる追加足場板と、を備えることにより解決される。
【０００７】
上記構成によれば、仮設足場が、一対の支柱にそれぞれ両端側が連結される梁枠体と、梁枠体上に固定される足場板と、梁枠体上に取り付けられる一対のブラケットと、一対のブラケットに両端を取り付けられる追加足場板と、を備えることで、一の建物と隣接する構造物との間の狭小地となる部分における作業を可能とし、隣接する構造物が低く、当該構造物を越えて開けた空間においては、足場を増やして、作業を容易にすることが可能となる。
【０００８】
また、前記梁枠体と前記ブラケットとは、一方に設けられた突起部と他方に設けられた穴部とが嵌ることで係止していると好ましい。
上記構成によれば、ブラケットの取り付け・取外しが容易となり、特に狭小地において突起部を穴部に嵌めることで係止できるため有用である。
【０００９】
更に、前記ブラケットと前記追加足場板とは、一方に設けられた足場用突起部と、他方に設けられた他方に設けられた足場用穴部とが嵌ることで係止していると好ましい。
上記構成によれば、足場用突起部と足場用穴部とが嵌ることで、追加足場板の取り付け・取外しが容易となり、特に狭小地において足場用突起部を足場用穴部に嵌めることで係止できるため有用である。
【００１０】
また、作業者用の手摺を構成して前記ブラケットの上方に延在する手摺支柱を備え、前記ブラケットの前記他端側には、前記手摺支柱を取り付ける取付部が形成されていると好ましい。
上記構成によれば、ブラケットに手摺を取り付けることができ、より作業効率を高めることが可能となる。
【００１１】
また、前記ブラケットは、前記構造物側に張り出す張り出し部と、該張り出し部の下方において前記構造物側から前記建物側に延在する第１サポートと、を備えると好ましい。
上記構成によれば、前記ブラケットが、張り出し部と、張り出し部の構造物側から建物側に斜めに下方に延在する第１サポートとを備えることで、ブラケットに加わる荷重を張り出し部と第１サポートとに分散でき、ブラケットの取付剛性を高めることができる。
【００１２】
更に、前記ブラケットは、前記建物側において、前記張り出し部と前記第１サポートとを接続する第２サポートを備えるようにしてもよい。
上記構成によれば、第２サポートを備えることで、張り出し部と第１サポートとの相互の移動を規制することによりブラケットの取付安定性を高めることができる。
【発明の効果】
【００１３】
本発明によれば、隣接する構造物と接近して建築された建物への施工作業のうち、構造物の上方において室外側から行う際の作業の効率を高めることが可能な仮設足場を提供できる。
【図面の簡単な説明】
【００１４】
【図１】（ａ）は、本発明の一実施形態に係る梁枠体を示す平面図、（ｂ）は、梁枠体の側面図である。
【図２】梁枠体の一部を構成する端部梁枠の前面図である。
【図３】梁枠体を構成する中央梁枠と端部梁枠との連結状態を示し、足場板を載せる状態を示す斜視説明図である。
【図４】足場板の端部を示す側面図である。
【図５】端部梁枠を示す斜視図である。
【図６】足場板ホルダー上に足場板を載置した状態を示す側面図である。
【図７】仮設足場を組み付けて、追加足場板及び手摺を梁枠体に取り付けた状態を示す模式図である。
【図８】追加足場板をブラケットを介して梁枠体及び支柱に取り付けた状態を示す模式図である。
【図９】ブラケットを示す斜視図である。
【図１０】ブラケットに手摺を取り付けた状態を示す模式図である。
【発明を実施するための形態】
【００１５】
以下、本発明の一実施形態に係る仮設足場について、図１〜図１０を参照しながら説明する。
図１（ａ）は、本発明の一実施形態に係る梁枠体を示す平面図、図１（ｂ）は、梁枠体の側面図、図２は、梁枠体の一部を構成する端部梁枠の前面図、図３は、梁枠体を構成する中央梁枠と端部梁枠との連結状態を示し、足場板を載せる状態を示す斜視説明図、図４は、足場板の端部を示す側面図、図５は、端部梁枠を示す斜視図、図６は、足場板ホルダー上に足場板を載置した状態を示す側面図、図７は、足場板ホルダーと足場板との間にゴム紐を架け渡した状態を示す斜視図、図８は、追加足場板をブラケットを介して梁枠体及び支柱に取り付けた状態を示す模式図、図９は、ブラケットを示す斜視図、図１０は、ブラケットに手摺を取り付けた状態を示す模式図である。
【００１６】
本実施形態に係る仮設足場１は、隣接建物（隣接構造物）Ｂ１との距離が例えば３０〜５０ｃｍ程度しかないような狭小地に、隣接建物Ｂ１と接近して建築される建物Ｂにおいて、建築作業やメンテナンス作業を室外側から行うときに用いられる狭小地用の仮設足場１である。
本実施形態の仮設足場１は、図１（ｂ）に示す一対の支柱２と、一対の支柱２に両端が連結される梁枠体３と、梁枠体３上に固定される図３に示す足場板６と、支柱２又は梁枠体３に固定される後述するブラケット７と、ブラケット７に固定される後述する追加足場板８を備えている。
支柱２は、図１（ｂ）に示すように、鋼製の丸パイプ状体からなり、作業対象の建物Ｂと隣接建物Ｂ１との隙間の地面の２カ所に固定される。支柱２には、梁枠体３の端部に形成された係止片４５が係止される略筒状の係止ホルダー２１が、支柱２の長さ方向に所定間隔を置いて複数設けられている。
係止ホルダー２１は、支柱２の水平方向の断面の周に沿って、９０°ずつずらして４つずつ設けられており、支柱２のほぼ同じ高さに、相互に垂直になるように、４つの梁枠体３を連結可能に構成されている。
【００１７】
本実施形態では、梁枠体３は、長さ方向に３つに分割されており、一対の端部梁枠４と、一対の端部梁枠４に挟まれる中央梁枠５と、を備えている。
端部梁枠４は、図２に示すように、端部梁枠体４１を主要構成要素としている。
端部梁枠体４１は、鋼製の丸パイプ状の上梁材４２と、上梁材４２の下方で上梁材４２に平行に延びる鋼製の丸パイプ状の下梁材４３と、上梁材４２と下梁材４３とを架橋して連結する架橋部材４４とが、溶接により一体に形成されてなる。
上梁材４２及び下梁材４３の長手方向の一端には、端部梁枠４を中央梁枠５に連結するための板体４６が一体に溶接固定されている。板体４６は、上梁材４２及び下梁材４３に対して垂直な略矩形の板体である。板体４６には、矩形の４つの頂点よりも中央よりの４か所に、不図示のボルト孔が穿孔されている。この不図示のボルト孔に挿入されたボルト４６ａとナット４６ｂにより、板体５６に固定される。
上梁材４２の他端には、端部梁枠４を支柱２に連結するための係止片４５が、上梁材４２に一体に設けられている。係止片４５は、端部が下方を向いており、係止片４５の端部側を支柱２の係止ホルダー２１に挿入することにより、係止ホルダー２１に係止される。
【００１８】
上梁材４２の上部であって、係止片４５の近傍の位置、係止片４５よりも長手方向中央寄りの位置と、板体４６よりも長手方向中央寄りの位置の３カ所には、図２に示すように、足場板６を固定するための足場板ホルダー３６が溶接により固定されている。
【００１９】
特に足場板ホルダー３６は、図５及び図６に示すように、水平面上における上梁材４２の連続する方向に対して直交する方向の一方に偏って上梁材４２に固定されている。足場板ホルダー３６が、このように固定されているのは、梁枠体３及び梁枠体３の延長上にある支柱２を、施工対象である建物から離して作業空間を確保することにより、作業性を高めるためである。
足場板ホルダー３６は、図５に示すように、平板部３６ａ及び平板部３６ａの両端が屈曲された一対の壁部３６ｂを備えたコの字状部材３６ｃと、コの字状部材３６ｃの平板部３６ａと一対の壁部３６ｂとに囲まれた領域に溶接固定された支持板部３６ｄと、から形成されている。
一対の壁部３６ｂは、本発明に係る一対の係合突出部に相当し、上端側が、他方の壁部３６ｂに遠ざかるように若干傾斜して平板部３６ａから立設されている。換言すると、壁部３６ｂは、下方から足場板６が載置される上方にかけて、足場板ホルダー３６における幅方向中心側から幅方向端部側に傾斜して形成されている。
また、一対の壁部３６ｂにおける支持板部３６ｄから上方へ突出する部位の断面形状は、後述する足場板６の溝部６２ｅの断面形状と略一致するように形成されている。これにより、足場板６を足場板ホルダー３６に載せたときに、足場板ホルダー３６上に固定可能になっている。
足場板ホルダー３６は、上梁材５２の連続する方向に垂直な向きに溶接されており、足場板６が載せられる支持板部３６ｄの上面が水平となるように、上梁材４２に溶接されている。
【００２０】
中央梁枠５は、図３に示すように、中央梁枠体５１を主要構成要素としている。
中央梁枠体５１は、鋼製の丸パイプ状の上梁材５２と、上梁材５２の下方で上梁材５２に平行に延びる鋼製の丸パイプ状の下梁材５３と、上梁材５２と下梁材５３とを架橋して連結する架橋部材５４とが、溶接により一体に形成されてなる。
上梁材５２及び下梁材５３の長手方向の両端には、中央梁枠５を端部梁枠４に連結するための板体５６が一体に溶接固定されている。板体５６は、上梁材５２及び下梁材５３に対して垂直な略矩形の板体である。板体５６は、板体４６と同様の構成であるため、説明を省略する。
【００２１】
上梁材５２の上部であって、板体５６よりも長手方向中央寄りの位置の３カ所には、図３に示すように、足場板６を固定するための足場板ホルダー３６が溶接により固定されている。
足場板ホルダー３６は、足場板６が載せられる支持板部３６ｄの上面が水平となるように、上梁材５２に溶接されている。
梁枠体３は、中央梁枠５の両端に一対の端部梁枠４が固定されることにより構成される。中央梁枠５と一対の端部梁枠４との間の固定は、板体４６と板体５６とが、ボルト４６ａとナット４６ｂにより締結されることで行われる。
【００２２】
本実施形態の足場板６は、長手方向の長さが、端部梁枠４及び中央梁枠５の長手方向の長さに近い長さとされ、端部梁枠４及び中央梁枠５それぞれの上方に一つずつ設置されている。足場板６は、図４に示すように、断面逆Ω状の本体６１と、開放側を下方に向けた断面コの字状を有して本体６１を覆う蓋体６２とが溶接されて、一体的に形成された蓋付きの箱状に構成されている。
【００２３】
本体６１は、長板状の底部６１ａと、底部６１ａの幅方向両端から斜め上方に延在する一対の側部６１ｂと、一対の側部６１ｂの上端から幅方向外側に張り出す一対の縁部６１ｃとから構成され、アルミニウム等の板材から形成されている。
【００２４】
底部６１ａは、足場板ホルダー３６の支持板部３６ｄの上面に載せられる部位であり、幅方向において、足場板ホルダー３６の一対の壁部３６ｂ間の長さよりも短い長さで形成されている。
【００２５】
一対の側部６１ｂは、後述する蓋体６２の後述する湾曲部６２ｃとの間で、足場板ホルダー３６の一対の壁部３６ｂに係止されることで幅方向の足場板６の移動を制限するための部位である。具体的には、一対の側部６１ｂは、一対の壁部３６ｂのうち支持板部３６ｄから上方に突出する部位のおける幅方向内側の面と略一致する傾斜及び間隔で形成されている。
このように、足場板６の一対の側部６１ｂが足場板ホルダー３６の一対の壁部３６ｂにおける上記部位と略一致する傾斜で形成されていることで、足場板６が壁部３６ｂに載せられる方向に対して、側部６１ｂと壁部３６ｂが交差する方向に傾斜することとなる。このため、壁部３６ｂによって側部６１ｂを挟持しやすくなり、両者間のぐらつきを防止しやすくなる。
【００２６】
一対の縁部６１ｃは、蓋体６２の後述する天板部６２ａと溶接される部位であり、天板部６２ａに沿うように、一対の側部６１ｂの上端から幅方向外側に曲がって形成されている。
【００２７】
蓋体６２は、作業者の足場となる天板部６２ａと、天板部６２ａの幅方向両端から下方に延出する延出部６２ｂと、延出部６２ｂの下端から上方に折り返されて湾曲して形成された湾曲部６２ｃとから構成され、アルミニウム等の板材から形成されている。なお、足場板６の本体６１と蓋体６２とは、板材から成るためプレス加工によって容易に成形可能であり、また、両者の間が中空を成すことにより、軽量化が図られている。
【００２８】
天板部６２ａは、本体６１の底部６１ａに平行となるように、本体６１の縁部６１ｃと溶接されている。また、天板部６２ａは、本体６１に対向することになる下面側から上面側方向に図示せぬ打ち抜き具によって本体６１に溶接される前に穿孔された複数の貫通孔６２ｆを有する。このように形成された貫通孔６２ｆの縁は、打ち抜き具から受ける荷重により、その周囲より上方に突出することとなる。
このように上方に突出する貫通孔６２ｆの縁は、足場板６上で作業する作業者の滑り止めとして機能することとなる。
【００２９】
一対の延出部６２ｂは、一対の壁部３６ｂのうち支持板部３６ｄから上方に突出する部位と略一致する傾斜で形成されている。そして、一対の延出部６２ｂあるいは天板部６２ａの両端側には、天板部６２ａの上面から上方に向けて突出して、両幅方向外側で下方に折り返された返し部６２ｄが形成されている。
このように、返し部６２ｄが天板部６２ａの幅方向両側に形成されていることで、天板部６２ａを足場とする作業者の足が掛かり、作業者がその位置を把握できるとともに、足をかけての踏ん張りがきくことで、足場板６上での作業性を高めることができる。
なお、返し部６２ｄを、天板部６２ａの幅方向両側に形成するのではなく、建物との間の隙間の大きい幅方向の一側のみに形成するようにしてもよい。
【００３０】
一対の湾曲部６２ｃは、上記のように本体６１の一対の側部６１ｂとの間で足場板ホルダー３６の一対の壁部３６ｂに係止されることで、幅方向の足場板６の移動を制限するための部位である。具体的には、湾曲部６２ｃは、延出部６２ｂに接続された下端部から上端部にかけて、延出部６２ｂから離れつつ、本体６１の側部６１ｂに近づくように湾曲して形成されている。一対の湾曲部６２ｃと一対の側部６１ｂとの間に、溝部６２ｅが形成されている。
【００３１】
湾曲部６２ｃが自然状態にあるときには、溝部６２ｅの幅の少なくとも一部は、足場板ホルダー３６の壁部３６ｂにおける幅方向の厚さよりも小さく形成されている。一方、足場板ホルダー３６の一対の壁部３６ｂが溝部６２ｅに差し込まれたときには、図６に示すように、湾曲部６２ｃが弾性変形することにより、壁部３６ｂの厚さと一致するように溝部６２ｅが拡がることとなる。
このように、湾曲部６２ｃが弾性変形することにより、本体６１の側部６１ｂとの間で壁部３６ｂを挟持することとなり、足場板６と、足場板ホルダー３６との間に生じるぐらつきを低減することができる。
【００３２】
上記構成の支柱２、梁枠体３及び足場板６によって構成される仮設足場１により、図７に示す狭小地における建物Ｂの室外側からのメンテナンス作業等が可能となる。
そして、建物Ｂに隣接する隣接建物Ｂ１が低いときには、隣接建物Ｂ１の上方にスペースができる。このため、そのスペースにおいては作業効率を高めるために足場を広げることが可能となる。
このように、隣接建物Ｂ１の上方のスペースにおいて、足場を広げる際に用いる追加足場板８、及びこれを支柱２及び梁枠体３に取り付けるためのブラケット７について説明する。
【００３３】
追加足場板８は、メッシュ状の網目を有する鋼製足場板であり、長手方向両端に下方に向かって延出する係止片６６ａを有してブラケット７に取り付けられる。ここで、係止片６６ａは、本発明に係る足場用突起に相当するものである。
ブラケット７は、図９に示すように、支柱２又は梁枠体３に取り付けるための係止片６５ｂと、隣接建物Ｂ１の上方のスペースに張り出す張り出し棒６５ａと、追加足場板８の係止片６６ａが取り付けられる一対の係止ホルダー６５ｄと、を主に備える。
【００３４】
係止片６５ｂは、本発明に係る突起部に相当し、張り出し棒６５ａの一端に形成されており、梁枠体の架橋部材５４ａの側面に溶接された本発明に係る穴部に相当する係止ホルダー５５にブラケット７を取り付けるための部位である。係止片６５ｂは、下方に向かって延出しており、係止ホルダー５５の上下に貫通した孔に上方から挿し込まれて係止する。
【００３５】
張り出し棒６５ａは、本発明に係る張り出し部に相当し、支柱２又は梁枠体３に取り付けられたときにこれらに垂直に延出して隣接建物Ｂ１の上方に張り出すことになる。
張り出し棒６５ａの係止片６５ｂが形成された一端の逆側である他端には、手摺支柱６７を取り付けるための部材であり、上下方向に貫通した孔を有する段差付きの円筒状である手摺取付部６５ｃが形成されている。
そして、張り出し棒６５ａのぐらつきを防止するため、張り出し棒６５ａの下部に溶接された縦サポート６５ｅと、張り出し棒６５ａの手摺取付部６５ｃ側の下部から張り出し棒６５ａに対して斜めに延出する斜めサポート６５ｆと、斜めサポート６５ｆの延出先の端部に形成されて架橋部材５４ａ又は支柱２に当接する当接片６５ｇとを備える。ここで、斜めサポート６５ｆは、本発明に係る第１サポートに相当する。
張り出し棒６５ａから垂直に延出する縦サポート６５ｅは、斜めサポート６５ｆの中間部分と接続されており、ブラケット７は概略Ａ字状に形成されている。ここで、縦サポート６５ｅは、本発明に係る第２サポートに相当する。
当接片６５ｇは、円筒状である支柱２及び架橋部材５４ａに好適にフィットするように、断面円弧状に形成されて上下に延在している。
【００３６】
係止ホルダー６５ｄは、本発明に係る足場用穴部に相当し、断面コの字状に形成されて上下に延在し、張り出し棒６５ａの両側部に断面コの字の開放側を溶接されている。ここで、係止ホルダー６５ｄは、ブラケット７の両側に追加足場板８を取り付けるときには、張り出し棒６５ａの両側に必要であるが、ブラケット７の片側のみに追加足場板８を取り付けるときには、張り出し棒６５ａの取り付ける側である片側のみに設けるようにしてもよい。
【００３７】
上記のように構成されるブラケット７は、図８に示すように取り付けられて、追加足場板８が取り付けられる。なお、図８においては、ブラケット７の係止片６５ｂと梁枠体３の係止ホルダー５５との取り付け部位を明示するために、一枚の追加足場板８を取り外した状態を示している。
また、足場板６と追加足場板８とは同じ高さ位置に配置されている。具体的に説明すると、支柱２において、足場板６の高さに関わる梁枠体３の係止片４５を係止するための係止ホルダー２１の高さに比較して、追加足場板８の高さに関わるブラケット７の係止片６５ｂを係止するための係止ホルダー２２の高さは若干高い位置に形成されている。しかし、足場板６の高さ方向の厚さと、及び足場板６と上梁材４２との間に設けられた足場板ホルダー３６の高さ方向の厚さが調整されていることで、足場板６と追加足場板８とは同じ高さ位置となっている。
【００３８】
そして、追加足場板８が設けられる高さには、隣接建物Ｂ１がなく、支えとなるものがないため、手摺支柱６７及び手摺横棒６８を取り付けるようにすると好ましい。
手摺支柱６７は、支柱２と同様の構成から成り、その側面に手摺横棒６８を取り付けるための係止ホルダー６７ａを上下方向に一定の間隔で有しており、下端をブラケット７の手摺取付部６５ｃに挿し込まれて取り付けられている。
手摺横棒６８は、係止ホルダー６７ａに挿し込むための下方に延在する係止片６８ａを両端に有する。
【００３９】
上記のように構成された、ブラケット７、追加足場板８、手摺支柱６７及び手摺横棒６８により、狭小地に設けられた仮設足場１における隣接建物Ｂ１を越える高さにおける作業の効率を高めることができる。
【００４０】
上記の実施形態は、本発明の理解を容易にするためのものであり、本発明を限定するものではない。本発明は、その趣旨を逸脱することなく、変更、改良され得ると共に、本発明には各実施形態の特徴を組み合わせたもの、その等価物が含まれることは勿論である。
【００４１】
例えば、支柱２又は梁枠体３とブラケット７との係止構造は、支柱２の係止ホルダー２２又は梁枠体３の係止ホルダー５５にブラケット７の係止片６５ｂが係止するものとして説明したが、係止できれば、これらの嵌めあい関係は逆であってもよい。
同様に、ブラケット７と追加足場板８との係止構造は、ブラケット７の係止ホルダー６５ｄに追加足場板８の６６ａが係止するものとして説明したが、係止できればよく、これらの嵌めあい関係は逆であってもよい。
【００４２】
なお、本実施形態では、図７のように、１段の梁枠体３に追加足場板８を取り付ける例を示したが、隣接建物Ｂ１との高低差が大きい場合には、上下に複数の段の梁枠体３に取り付けるようにしてもよい。このようにすれば、隣接建物Ｂ１を越える高さにおける施工作業を円滑に行うことができる。
【符号の説明】
【００４３】
１  仮設足場
２  支柱
３  梁枠体
４  端部梁枠
５  中央梁枠
６  足場板
７  ブラケット
８  追加足場板
９  手摺り
２１，２２  係止ホルダー
３６  足場板ホルダー
３６ａ  平板部
３６ｂ  壁部
３６ｃ  コの字状部材
３６ｄ  支持板部
４１  端部梁枠体
４２，５２  上梁材
４３，５３  下梁材
４４，５４，５４ａ  架橋部材
４５  係止片
４６，５６  板体
４６ａ  ボルト
４６ｂ  ナット
５１  中央梁枠体
５５  係止ホルダー（穴部）
６１  本体
６１ａ  底部
６１ｂ  側部
６１ｃ  縁部
６２  蓋体
６２ａ  天板部
６２ｂ  延出部
６２ｃ  湾曲部
６２ｄ  返し部
６２ｅ  溝部
６２ｆ  貫通孔
６２ｇ  掛止孔
６５ａ  張り出し棒（張り出し部）
６５ｂ  係止片（突起部）
６５ｃ  手摺取付部
６５ｄ  係止ホルダー（足場用穴部）
６５ｅ  縦サポート（第２サポート）
６５ｆ  斜めサポート（第１サポート）
６５ｇ  当接片
６６ａ  係止片（足場用突起）
６７  手摺支柱
６７ａ  係止ホルダー
６８  手摺横棒
６８ａ  係止片
Ｂ  建物
Ｂ１  隣接建物（構造物）
【図１】
0005968391.tif 000002
【図２】
0005968391.tif 000003
【図３】
0005968391.tif 000004
【図４】
0005968391.tif 000005
【図５】
0005968391.tif 000006
【図６】
0005968391.tif 000007
【図７】
0005968391.tif 000008
【図８】
0005968391.tif 000009
【図９】
0005968391.tif 000010
【図１０】
0005968391.tif 000011